(57)【特許請求の範囲】
【請求項１】
イオンビームを発生させるために構成されたイオン源と、
イオンビームを質量分析するように構成された質量分析器と、
この質量分析器の下流に配置され、かつ、イオン注入システムが第１モードで作動するとき、イオンビームを単一のビーム走査平面に沿って走査するように構成され、前記第１モードにおいて、走査されたイオンビームを形成しており、また、イオン注入システムが第２モードで作動するとき、イオンビームが走査されないで通過するように構成され、前記第２モードにおいて、走査されないスポットイオンビームを形成する、ビーム走査システムと、
このビーム走査システムの下流に配置され、かつ、実質的に等しい長さを有する複数の平行なビームレットの中に、走査されたイオンビームを同時に平行化しながら、汚染物質がフィルタ処理される、パラライザーと、
前記パラライザーの下流に配置され、かつ、走査されたイオンビーム又はスポットイオンビームを通過して、１つ以上の方向に加工物を選択的に平行移動するように構成される加工物走査システムとを含み、
前記平行移動が、イオン注入システムに基づいて、前記第１モードまたは前記第２モードの各々において作動されることを特徴とするイオン注入システム。
【請求項２】
前記パラライザーは、少なくとも一対の双極子磁石を含み、かつ、前記ビーム走査システムが第１モードで作動するとき、走査されたイオンビームは、前記一対の双極子磁石を通る間に略Ｓ字形状に選択的に曲げられるように構成されていることを特徴とする請求項１記載のイオン注入システム。
【請求項３】
各双極子磁石は、台形状でかつ互いにミラー配置されていることを特徴とする請求項２記載のイオン注入システム。
【請求項４】
各双極子磁石は、走査されたイオンビームを約２０°以上の角度に曲げることを特徴とする請求項２記載のイオン注入システム。
【請求項５】
前記パラライザーは、前記ビーム走査システムが第２モードで作動するとき、走査されないスポットイオンビームが、前記一対の双極子磁石を通る間に略Ｓ字形状に選択的に曲げられるように構成されていることを特徴とする請求項４記載のイオン注入システム。
【請求項６】
イオン源、質量分析器、ビーム走査システム、パラライザー、及び加工物走査システムに接続して作動し、かつ、少なくとも部分的に、加工物に注入される所望のイオンドーズ量に基づいて、前記イオン源、質量分析器、ビーム走査システム、パラライザー、及び加工物走査システムの少なくとも１つの作動を制御するように構成されるコントローラをさらに含んでいることを特徴とする請求項１記載のイオン注入システム。
【請求項７】
前記コントローラは、加工物に注入される所望のイオンドーズ量が、概略５×１０１０〜５×１０１４イオン／ｃｍ２の範囲にあるとき、前記ビーム走査システムを前記第１モードで作動させるように構成され、また、加工物に注入される所望のイオンドーズ量が、概略５×１０１４〜１×１０１７イオン／ｃｍ２の範囲にあるとき、前記ビーム走査システムを前記第２モードで作動させるように構成されることを特徴とする請求項６記載のイオン注入システム。
【請求項８】
さらに、イオンビームの１つ以上の特性を測定するように構成された測定構成要素を含み、
前記コントローラは、前記測定構成要素に接続されて作動し、かつ、少なくとも部分的に、イオンビームの１つ以上の測定された特性に基づいて、前記イオン源、質量分析器、ビーム走査システム、パラライザー、及び加工物走査システムの少なくとも１つの作動を制御するように構成されていることを特徴とする請求項６記載のイオン注入システム。
【請求項９】
前記パラライザーと前記加工物走査システムの間に配置され、かつ、イオンビームを選択的に減速するように構成される減速フィルタをさらに含むことを特徴とする請求項１記載のイオン注入システム。
【請求項１０】
前記質量分析器と前記ビーム走査システムとの間に配置され、かつ、イオンビームを選択的に前記ビーム走査システムの走査頂点に集束及び方向付ける、集束／ステアリング構成要素を含むことを特徴とする請求項１記載のイオン注入システム。
【請求項１１】
イオン注入システムにおいて、イオンを加工物に注入する方法であって、該方法は、
イオンを加工物に注入するための所望の基準組を設け、
前記所望の基準組に基づいて、断面楕円形状のスポットイオンビームを形成し、
前記スポットイオンビームの１つ以上の特性を定量化し、
前記スポットイオンビームの１つ以上の定量化した特性に基づく注入時間を決定し、
前記注入時間を、機械的に制限された走査時間と比較し、
前記注入時間が前記機械的に制限された走査時間よりも短い場合、前記イオン注入システムは第１モードで作動し、かつ、
前記注入時間が前記機械的に制限された走査時間よりも長い場合、前記イオン注入システムは第２モードで作動する、各工程を含み、
前記機械的に制限された走査時間は、前記第２モードで作動する前記イオン注入システムに関連した最小時間であり、加工物は、それぞれの最大速度又は限界速度において、二次元で平行移動され、
前記第１モードにおいて、前記スポットイオンビームは単一のビーム走査平面に沿って走査され、走査されたイオンビームを形成し、かつ、加工物は、少なくとも１次元で前記走査されたイオンビームを通過して平行移動され、かつ、
前記第２モードにおいて、加工物は、少なくとも２次元で前記スポットイオンビームを通過して走査される、ことを特徴とする方法。
【請求項１２】
前記所望の基準組は、加工物に注入すべきイオンの所望のドーズ量、電流、及びエネルギーの１つ以上を含んでいることを特徴とする請求項１１記載の方法。
【請求項１３】
前記スポットイオンビームの１つ以上の特性は、前記所望の基準組に関連した前記スポットイオンビームの電流、エネルギー、及びビーム径の１つ以上を含むことを特徴とする請求項１１記載の方法。
【請求項１４】
前記イオン注入システムが、前記第１モードで作動するとき、走査されたイオンビームを平行化する工程をさらに含むことを特徴とする請求項１１記載の方法。
【請求項１５】
走査されたイオンビームを平行化する工程は、走査されたイオンビームを一対の双極子磁石を通る間に略Ｓ字形状に曲げ、かつほぼ等しい長さを有する複数の平行ビームレットの中に走査されたイオンビームを共に平行化しながら、汚染物質が取り除かれる各ステップを含むことを特徴とする請求項１４記載の方法。
【請求項１６】
前記スポットイオンビームは、イオン注入システムが第２モードで作動するとき、一対の双極子磁石を通る間に略Ｓ字形状に曲げられることを特徴とする請求項１１記載の方法。
【請求項１７】
イオンビームを発生させるために構成されたイオン源と、
イオンビームを質量分析するように構成された質量分析器と、
この質量分析器の下流に配置され、かつ、イオン注入システムが第１モードで作動するとき、イオンビームを単一のビーム走査平面に沿って走査するように構成され、前記第１モードにおいて、走査されたイオンビームを形成しており、また、イオン注入システムが第２モードで作動するとき、イオンビームが走査されないで通過するように構成され、前記第２モードにおいて、走査されないスポットイオンビームを形成する、ビーム走査システムと、
このビーム走査システムの下流に配置され、かつ、第１、第２のそれぞれのモードにおいて作動する前記イオンビームシステムに基づいて、走査されたイオンビーム又はスポットイオンビームを通過して、１つ以上の方向に加工物を選択的に平行移動するように構成されている、加工物走査システムと、を含むことを特徴とするイオン注入システム。
【請求項１８】
さらに、前記ビーム走査システムの下流に配置され、かつ、イオン注入システムが第１モードで作動するとき、一対の双極子磁石を通る間に略Ｓ字形状に走査されたイオンビームを選択的に曲げるように構成され、さらに、実質的に等しい長さを有する複数の平行なビームレットの中で、前記走査されたイオンビームを同時に平行化しながら、汚染物質がフィルタ処理される、パラライザーをさらに含むことを特徴とする請求項１７記載のイオン注入システム。
【請求項１９】
前記加工物走査システムは、さらに、前記第１モードまたは前記第２モードの各々において、作動するイオン注入システムに基づいて、１つ以上の軸回りに前記加工物を回転させるように構成されていることを特徴とする請求項１７記載のイオン注入システム。
【発明の詳細な説明】
【技術分野】
【０００１】
本発明は、一般的に、イオン注入システムおよび方法に関し、特に、複数の作動範囲内でイオンを注入するためのイオン注入システム及び方法に関する。
【背景技術】
【０００２】
イオン注入装置は、特定量のドーパント又は不純物を半導体加工物又はウエハ内に配置するために、通常利用される。一般的なイオン注入装置において、ドーパント材料は、イオン化され、そこからイオンビームが生成される。イオンビームは、イオンをウエハに注入するために、半導体ウエハの表面に向けられ、イオンがウエハの表面を貫いて、所望の導電率の領域が形成される。例えば、イオン注入は、半導体加工物内に複数のトランジスタを形成するのに用いられる。一般的なイオン注入装置は、イオンビームを発生させるイオン源、イオンビーム内のイオンを指向および／またはフィルタ処理（例えば、質量分析）するための質量分析器を有するビームラインアセンブリ、及び処理されるべき１つ以上のウエハまたは加工物を含むターゲット室を有する。
【０００３】
種々の形式のイオン注入装置は、加工物内に達成されるべき所望の特性に基づいて、注入されるイオンを変化させて、それぞれのドーズ量及びエネルギーを可能にする。例えば、高電流イオン注入装置は、一般的に、高いドーズ量に対して用いられ、中電流から低電流までのイオン注入装置は、より低いドーズ量に対して用いられる。イオンのエネルギーは、さらに変えることができ、このエネルギーは、接合深さ、すなわち、イオンが半導体加工物内に注入される際の深さを制御するために用いられる。
【０００４】
デバイス形状が縮小され続けているので、浅い接合コンタクト領域が必要とされ、ますます低いエネルギーで、より高いイオンビーム電流が求められる。さらに、正確なドーパント配置に対する要求が、イオンビーム内および基板表面を横切る際のビーム角度の変動を最小化する要求として、より一層要望されている。たとえば、ある利用では、３００電子ボルトまで下げたエネルギーでの高電流イオン注入装置が望ましい。一方、エネルギー汚染を同時に最小化しながら、加工物を横切るとともにイオンビーム内の角度変動の密な制御を維持すると共に、加工物の高い処理能力が与えられることが望ましい。
【０００５】
現在、角度変動を最小化しながら、低エネルギーで高電流を達成するための好ましい構造は、二重機械式走査構造であり、ここで、加工物は、固定のスポットイオンビームに対して、２つの方向（例えば、「ファースト」走査方向及びほぼ垂直な「スロー」走査方向）において機械的に走査される。しかし、これまでの通常構造を利用する相対的に緩やかなファースト走査周波数は、最大加速によって制限される。この機械的なシステムは、我慢できるもので、１〜３Ｈｚの範囲に収まるが、これにより、イオン注入装置を介して加工物の最大生産能力が制限される。
【０００６】
他方、リボン型ビームのシステムでは、リボン形状のイオンビームの方向付け及び形状に対するイオンビーム光学を用いており、低いエネルギーで高電流を達成することができる。しかし、通常のリボンビームシステムにおける均一な電流密度では、要求を達成することが難しく、しばしば、角度の正確度を犠牲にしている。
【０００７】
ハイブリッド走査技術は、静電気式又は磁界式によるペンシル型又はスポット型のイオンビームのファースト走査および加工物の機械的なスロー走査を用いてきた。しかし、これらの通常のハイブリッド型のイオン注入装置は、特に、５ｋeＶ以下のエネルギーで、ペンシル型ビームにおける比較的高い空間電荷密度及びより長いビームラインを生じるため、さらにビームの輸送問題を生じる。
【０００８】
通常、高ドーズ量の注入及び低ドーズ量の注入は、個別のドーズ量で特定のイオン注入装置を利用する必要がある。各注入装置は、それぞれより高いまたはより低いドーズ量のイオン注入構造に対して設計される。このようなマルチイオン注入装置に対する要求は、半導体製造業者に対する設備投資を増大させると共に、特定の注入装置を所有する費用を増大させる。こうして、改良されたビームライン構造は、共通のイオン注入システムを用いて、高ドーズ量注入及び低ドーズ量注入の両方を提供することが望ましい。
【発明の開示】
【発明が解決しようとする課題】
【０００９】
本発明は、中間及び低ドーズ量注入前のハイブリッド型走査注入システムの生産性と共に、高ドーズ量注入のための二次元機械式走査又はスポット型イオンビーム注入システムの高電流能力及び角度制御を組み合わせたシステム、装置及び方法を提供することにより、従来技術の問題点を克服する。
【００１０】
従って、以下に本発明のいくつかの構成の基本的理解を与えるために、本発明の簡潔な要約を表す。この要約は、本発明の拡張的な概要ではなく、また、本発明のキーまたは重要な要素を特定し、あるいは、本発明の範囲を描くことを意図するものではない。この目的は、後述するより詳細な説明の前書きとして単純形式で本発明の概念を示すことである。
【００１１】
本発明は、複数の作動範囲内でイオンを注入するためのシステム及び方法に向けられている。本発明によれば、イオン注入システムは、以下の構成が提供される。イオン注入システムは、イオンビームを発生させるために構成されたイオン源を含み、このイオンビームは、断面楕円形状を有して、スポット型またはペンシル型イオンビームを形成する。さらに、イオン注入システムは、イオンビームを質量分析するように構成された質量分析器と、この質量分析器の下流に配置されたビーム走査システムを有する。
【００１２】
本発明によれば、イオン注入システムは、加工物に注入されるべき、イオンの所望ドーズ量、および／またはイオンビーム電流またはエネルギーに基づいて、第１モードおよび第２モードで選択的に作動するように構成されている。
【００１３】
たとえば、第１モードは、低ドーズ量のイオン注入に関する第１作動範囲に関連している。第１モードでは、ビーム走査システムは、イオンビームを単一のビーム走査平面に沿って走査するように構成されている。
【００１４】
本発明の１つの例示的な構成によれば、パラライザーが、ビーム走査システムの下流に配置され、このパラライザーは、イオン注入システムが第１モード作動するとき、走査されたイオンビームを略Ｓ字形状に選択的に曲げるように構成されている。
【００１５】
この結果、実質的に等しい長さを有する複数の平行なビームレットからなるリボンビームの中に、走査されたイオンビームを共に平行化しながら、走査されたイオンビームに関連する汚染物質がフィルタ処理される。従って、走査されたイオンビームの複数の平行なビームレットは、パラライザーの下流に位置する加工物走査システム上に配置された、加工物の中に均一に注入される。イオン注入システムが第１モードで作動しているとき、加工物走査システムは、走査されたイオンビームを通って一次元で加工物を選択的に平行移動するように構成されている。ここで、イオンが、第１作動範囲内で所望のドーズ量および／または電流またはエネルギーで注入される。
【００１６】
したがって、第１モードでは、イオン注入システムは、機械的に制限された処理能力で作動することができ、ここで、中ドーズ量から低ドーズ量のイオン注入が、高い加工物の処理能力で達成することができ、加工物処理能力の上限は、走査されたイオンビームを通って加工物を平行移動させるために、加工物走査システムの機械式能力（例えば、速度）によって支配される。
【００１７】
本発明によれば、ビーム走査システムは、さらに、イオン注入システムが第２作動モードで作動するとき、イオンビームが走査されないで通過するように構成され、そこに、走査されないスポットイオンビームを形成する。例えば、第２モードは、高電流または高ドーズ量注入等の第２作動範囲に関連する。１つの実例では、走査されないスポットイオンビームは、パラライザーを介してＳ字形状に曲げられる。そして、加工物走査システムは、走査されないスポットイオンビームを介して二次元で加工物を選択的に平行移動するように構成される。ここで、第２作動範囲内において、所望の電流、エネルギー、および／またはドーズ量でイオンが注入される。
【００１８】
従って、第２モードで作動するイオン注入システムによって、イオン注入システムは、「注入制限された」処理能力で作動させることができ、高ドーズ量注入を達成することができる。そして、イオン注入の電流および／またはドーズ量の上限が主に、イオン源およびイオンビーム輸送システムの能力によって支配される。
【００１９】
上述及び関連した目的を達成するために、本発明は、以下に記載されかつ特に特許請求の範囲に記載された特徴を含んでいる。以下の記述及び添付する図面は、本発明の例示的な実施形態を詳細に説明する。これらの実施形態は、いくつかの種々の方法を示すものであるが、本発明の原理に従って使用される。本発明の他の構成、利点、および新規な特徴は、添付する図面にとともに以下で詳細に説明される。
【発明の効果】
【００２０】
本発明は、イオンの所望ドーズ量が与えられ、スポットイオンビームがイオン源から形成され、質量分析器によって質量分析される。イオンは、第１モード又は第２モードの一方で、所望のドーズ量に基づいて加工物に注入される。質量分析器の下流配置されたビーム走査システムによってイオンビームが走査され、このビーム走査システムの下流に配置されたパラライザーによって平行化される。第１モードでは、加工物は、加工物走査システムによって少なくとも１次元で走査イオンビームを通って走査される。第２モードでは、イオンビームは、ビーム走査システムとパラライザーを走査しないで通過し、かつ加工物は、スポットイオンビームを通って二次元で走査される。
【００２１】
この結果、本発明は、複数の作動範囲において、共通の注入システムを利用しながら、イオンを注入する構造及び方法が提供され、このため、作動範囲にかかわらず、共通の注入システムを用いて、イオン注入の所望のドーズ量、電流、および／またはエネルギー、さらに、利用率、及び生産効率を達成することができる。そして、ドーズ特定システムに関連した設備費用を低減し、また、現在のイオン注入システムの利用を増大させることができる。
【発明を実施するための最良の形態】
【００２２】
本発明は、加工物にイオンを注入するためのイオン注入システム及び方法に向けられている。ここで、複数の異なる作動モードにおいて、複数の作動範囲のためにイオン注入される。従って、本発明は、図面を参照して、記載されるであろう。ここで、同等の参照番号は、同等の要素を指すために用いられる。これらの構成は、単に説明のためであり、制限的な意味に解釈されるべきではない。
【００２３】
以下の記載は、説明のためであり、種々の特定の詳細は、本発明の理解を完全にするために説明される。当業者であれば、本発明は、これらの特定の詳細なしで、実施できることが明らかであろう。
図面を参照すると、図１,２において、本発明の１つの構成に従う例示的なイオン注入システム１００が示されている。このイオン注入システムは、ここで記載するように、イオンを注入するために、種々のエネルギー、電流および／またはドーズ量で、制御することができる。
【００２４】
イオン注入システム１００（またイオン注入装置ともいう。）は、ターミナル１０２ビームラインアセンブリ１０４、及びエンドステーション１０６を含み、ここで、ターミナルは、高電圧電源１１０によって駆動されるイオン源１０８を含む。このイオン源１０８は、イオンビーム１１２を発生し、イオンビームをビームラインアセンブリ１０４に指向させるように作動可能である。イオン源１０８は、例えば、電荷イオンを発生させて引き出され、イオンビーム１１２に形成される。イオンビームは、ビームラインアセンブリ１０４内の正規ビーム経路１１３に沿って指向され、エンドステーション１０６へ向かう。本発明のイオンビーム１１２は、比較的狭い形状（例えば、正規のビーム経路１１３に沿ってみたとき、略円形断面）を有しており、以下では、ペンシル型またはスポット型イオンビームという。
【００２５】
複数のイオンを発生させるために、イオン化されるべきガス状のドーパント材料（図示略）が、イオン源１０８の発生室１１４内に配置される。このドーパントガスは、例えば、ガス源（図示略）から発生室１１４に供給される。別の例では、ＲＦまたはマイクロ波発生源、電子ビーム放射源、電磁気源、および／または発生室内にアーク放電を作り出すように作動可能なカソード等のいくつかの他の適当な機構（図示略）が、イオン発生室内の自由電子を励起するために、実施されまたは用いられる。
【００２６】
従って、励起電子が、ドーパントガス分子に衝突し、これにより、イオンが発生する。一般的に、正イオンが発生するが、本発明では、負イオンを発生させることも同様にでき、このようなイオン発生装置の全ては、本発明の範囲内に入るものと考えられる。複数のイオンは、イオン励起アセンブリ１１８を介して発生室１１４にも受けた開口またはスリットをとって制御されて引き出される。ここで、引出アセンブリは、複数の引出電極および／または抑制電極１２０Ａ、１２０Ｂを含む。引出アセンブリ１１８は、例えば、発生室１１４からのイオンを加速するために、引出電極および／または抑制電極１２０Ａ、１２０Ｂをバイアスするための個別の引出電源（図示略）を含むこともできる。
【００２７】
イオンビーム１１２は、荷電粒子を含むので、互いに反発する荷電粒子を半径方向外側に、ブローアップ即ち発散させる傾向を有する。さらに、ビームの発散は、低エネルギー、高電流（従来、高パービアンスとして知られている）イオンビームにおいて増強されることが理解できるであろう。ここで、多くの同類の荷電粒子が、比較的ゆっくり、同一方向に移動し、荷電粒子間に多量の反発力が小さな粒子運動量と共に存在し、その結果、荷電粒子が、正規ビーム経路１１３の方向に移動するのを維持する。従って、１つの実例によれば、引出アセンブリ１１８は、イオンビーム１１２が十分高いエネルギーで引き出されるように構成されており、その結果、スポットイオンビームは、発散しない（即ち、荷電粒子は、イオンビームの発散を導く反発力に打ち勝つ十分な運動量を有しているからである。）。別の例では、ビームの抑制を促進するために、システム全体にわたり比較的高いエネルギーでイオンビーム１１２を移送することが有益であり、イオンビームのエネルギーは、以下に記載するように、エンドステーション１０６内に配置された加工物１２２に衝突する前に、選択的に減少させることができる。また、分子またはクラスターイオンを発生させ、移送するために、イオンを比較的高いエネルギーで移送でき、一方、分子又はクラスターイオンのエネルギーが、分子のドーパント原子の間で分割されるので、より低い同等のエネルギーで注入することができるという利点に注目してほしい。
【００２８】
本発明の別の構成によれば、ビームラインアセンブリ１０４は、ビームガイド１２４、質量分析１２６、及びビーム走査システム１２８を含んでいる。ビームラインアセンブリ１０４は、例えば、さらにパラライザー１３０を含むことができる。質量分析器１２６は、例えば、約９０°の角度に形成され、１つ以上の磁石（図示略）を含む。この磁石は、質量分析器内に双極子磁界を形成する。イオンビーム１１２が質量分析器１２６に入ると、イオンビームは、磁界により曲げられ、不適当な電荷質量比のイオンをほぼ退けることができる。さらに特に、イオンが、あまりに大きい、またはあまりに小さい電荷質量比を有する場合、質量分析器の側壁内に偏向される。このように、質量分析器１２６は、主に、所望の電荷質量比を有する、イオンビーム１１２内のイオンのみを通過させることができ、イオンビーム１１２は、分析開口１３４を通過する。
【００２９】
システム１００内の他の粒子（図示略）と衝突するイオンビームは、ビームの統合を減退させることができ、この結果、少なくともビームガイド１２４を取り除くために、さらに１つ以上のポンプ（図示略）を含むことができる。
【００３０】
本発明は、イオン注入システム１００を介して注入されるイオンドーズ量の複数の範囲を考慮する。例えば、イオン注入システム１００は、第１作動範囲（例えば、イオンドーズ量が、略５×１０10〜５×１０14イオン／ｃｍ2の範囲にある。）及び第２作動範囲（例えば、イオンドーズ量が、略５×１０14〜１×１０17イオン／ｃｍ2の範囲にある。）において、イオンを注入するように構成することができる。例えば、第１、第２作動範囲は、必ずしもドーズ量だけで規定されるものではなく、ドーズ量の代わりに、イオンビーム電流及びエネルギーの組合せによって規定することができる。従って、第１、第２作動範囲は、イオンドーズ量、イオンビーム電流、および／またはイオンビームエネルギーに関連させることができる。１つの実例によれば、作動範囲の好適な概算値は、さらに以下の記載によって所望のイオンドーズ量を介して達成することができる。
【００３１】
通常、第１、第２の両方の作動範囲におけるイオン注入は、２つの別個のイオン注入システムを必要とし、それぞれのイオン注入システムは、ドーズ量、電流、および／またはエネルギーの、第１または第２の各範囲のそれぞれ1つにおいて注入するように構成されている。本発明は、イオン注入システム１００における共通の基本設計概念を用いるのに有益である。ここで、イオン注入システムの制御は、一般的に、以下で論議するように作動範囲を決定する。
【００３２】
例示的なビーム走査システム１２８は、図１に示されており、例えば、走査要素１３６及び集束および／またはステアリング構成要素（図示略）を含み、電源１４０が、ビーム走査要素１３６（集束／ステアリング構成要素‐図示略）に接続されて作動する。この集束／操縦要素（図示略）は、例えば、質量分析されたスポットイオンビーム１１２を受入れ、そして、イオンビームを、選択的に、走査要素１３６の走査頂点１４８に、集束及び方向付ける。
【００３３】
本発明の１つの構成によれば、イオン注入システム１００は、第１モード（例えば、第１作動範囲に関係する。）及び第２モード（例えば、第２作動範囲に関係する。）に選択的に作動するように構成される。
【００３４】
第１モードでは、例えば、電圧波形が、電源１４０を介してビーム走査システム１２８の走査プレート１４４Ａ、１４４Ｂに選択的に印加される。ここで、印加された電圧波形は、スポットイオンビーム１１２をある時間にわたり前後方向に静電気的に走査するように作動可能であり、その結果、単一のビーム走査平面１４９に沿ってイオンビームを拡張させ（例えば、図１に示すようにＸ軸に沿って）、そして、走査されたイオンビーム１５０を形成する。また、印加された電圧波形のサイクルにわたり平均化された時間において、走査されたイオンビームは、細長いリボンビームとしてみることができる。走査されたイオンビーム１５０は、例えば、複数のビームレット１５１を構成し、各ビームレットは、印加された電圧波形のサイクルにわたり、それぞれの時間でのスポットイオンビーム１１２からなる。走査されたイオンビーム１５０は、ビーム走査平面１４９に沿って測定されるとき、これに関連した幅１５２を有し、この幅は、スポットイオンビーム１１２の断面形状よりも大きい。走査されたイオンビーム１５０の幅１５２は、例えば、加工物１２２の幅（図示略）またはこの幅よりも大きい幅とすることができる。走査されたイオンビームの幅１５２は、変更することができ、また、ビーム走査システム１２８の下流に在るパラライザー１３０を介して集束される。さらに、走査頂点１４８は、正規ビーム経路１１３における点で規定することができ、この経路から各ビームレット１５１が、走査要素１３６によって走査された後で現れる。
【００３５】
本発明によれば、イオン注入システムは、第２モードにおいて、一般的に走査されずに、ビーム走査システム１２８を介してスポットイオンビーム１１２が選択的に通過するように構成される。このスポットイオンビームは、図２に示すように、正規のビーム経路１１３にのみ従う。
【００３６】
従って、イオン注入システム１００の作動における第２モードでは、電源１４０を介して走査プレート１４４Ａ、１４４Ｂに電圧が印加されない。この結果、ビーム走査システムを介して移動するスポットイオンビーム１１２は、パラライザー１３０の集束特性によって与えられるビーム移送の向上からの恩恵を受けている間、妨げられないし又は変化しない。双極子磁石及び同等品等の集束要素は、イオンビーム１１２の伝播方向に交差する両方向に、集束特性を有するように設計することができる。ここで、この集束動作は、ビームサイズの拡張とは反対に作用し、真空エンクロージャー、開口等のビームラインにおける制限により、イオンビームの良好な移送を与える。
【００３７】
別の実例によれば、イオンビーム１１２（例えば、図１に図示された第１モードの場合の走査されたイオンビーム１５０、または図２に示す第２モードの場合における走査されないスポットイオンビーム）が、パラライザ−１３０を通過する。このパラライザー１３０は、例えば、略台形状で互いに対向配置された２つの双極子磁石（ダイポール）１５３Ａ,１５３Ｂを含む。この双極子磁石１５３Ａ、１５３Ｂは、イオンビーム１１２（例えば、走査されるイオンビーム１５０又は走査されないスポットイオンビーム）が略Ｓ字形状に曲がるように構成されている。
別の言い方では、双極子磁石１５３Ａ、１５３Ｂは、等しい角度で対抗する曲げ方向を有し、かつ走査頂点１４８、例えば、ほぼ平行に発生する走査されるイオンビーム１５０の発散性ビームレットを作るように作動可能である。２つの対称的な双極子磁石１５３Ａ、１５３Ｂは、さらに、２００６年９月２９日に出願された米国特許出願番号第１１／５４０，０６４号に記載されており、この内容は、その全てが参考としてここに包含される。
【００３８】
２つの対称的な双極子磁石１５３Ａ、１５３Ｂの使用は、一般的に、ビームレット１５１の経路長さ及び早くかつより高い次元での集束特性の両方によって、走査されるイオンビーム１５０にわたる当方性または空間的に均一な特性を可能にする。
さらに、質量分析器１２６の動作と同じように、Ｓ字形状の曲げは、スポットイオンビーム１１２及び走査されるイオンビーム１５０を浄化するのに役立つ。中性粒子および／または他の汚染物質（例えば、質量分析器１２０のビーム下流に入る環境粒子）の軌道（図示略）は、双極子磁石１５３Ａ、１５３Ｂによって影響をほとんど受けない。この結果、これらの中性粒子のいくつかは、曲げられないか（インジェクターに関して）、又は非常にわずかに曲げられるだけであり、そのため、加工物１２２に衝突しない。
【００３９】
パラライザー１３０は、例えば、注入パラメータ（例えば、注入角度）が、加工物１２２に対して均一になるように、走査されるイオンビーム１５０のビームレット１５１を、平行にさせる。
図３を参照すると、双極子磁石１５３Ａ、１５３Ｂの各々は、イオンビーム１１２の元の軌道（例えば、正規ビーム経路１１３）に対して平行となる方向１５６に対して、ビームレット１５１を角度θだけ曲げ、その結果、ビームを略Ｓ字形状にさせることが分かる。
【００４０】
１つの例では、θ１５４は、約３０°〜約４０°の間の角度であるが、約２０°以上の角度にすることもできる。とにかく、２つの双極子磁石１５３Ａ、１５３Ｂは、互いに鏡像関係にあるので、それぞれのビームレット１５１は、図１に示すように、ほぼ等しい長さ１５８を有する。代わりに、各ビームレット１５１は、一定の経路長さを有するものと言うこともできる。双極子磁石の対称特性は、注入パラメータ（例えば、注入角度）を均一にすることを容易にする。ビームレット１５１の長さ１５８は、双極子磁石１５３Ａ、１５３Ｂにおける比較的小さい曲げ角度を用いることによって比較的短くなる。これは、少なくとも、イオン注入システム１００の全床面積を比較的コンパクトに維持するという利点を有する。さらに、双極子磁石１５３Ａ、１５３Ｂは、一般的に図３に示された例示のように、ギャップ１６０によって分離されている。このギャップは、例えば、それぞれのビームレット１５１の等しいドリフト長さを与え、また、双極子磁石の磁極ギャップを２倍の距離（例えば、約１００ｍｍから約２００ｍｍ）だけ、双極子磁石１５３Ａ、１５３Ｂを分離することができる。
【００４１】
双極子磁石１５３Ａ、１５３Ｂの各々は、さらに、複数のカスピング（cusping)磁石（図示略）を含み、図１及び図２の通過するイオンビーム１１２を包含および／または制御するの役立つ。このカスピング磁石は、例えば、ベンベニステ（Benveniste）他に付与された米国特許第６，４１４，３２９号明細書に記載されているように作動する。この明細書の全体は、参照することにより、ここに包含される。
【００４２】
カスピング磁石は、一般的に、自己中和化または他の手段によって発生した電子を閉じ込めるためにビームラインエンクロージャーに接近した静磁界を導く。その結果、このような電子が、カスプ磁界に垂直な方向に動くことを禁止される。さらに、カスピング磁石は、電子を閉じ込めて、電子が、この磁界に沿って動くこと、およびエンクロージャーの磁極片または壁に到達することを難しくする。このように、自己中和化に対して電子が有効に寄与することが高められる。双極子磁石１５３Ａ、１５３Ｂの回りのカスピング磁石の種々の方向、大きさ、スペースおよび／または数は、ここに開示した範囲内に入るものと考えられる。
【００４３】
図１を再び参照すると、１つ以上の減速ステージ（図示略）を、パラライザー１３０の下流に配置することができる。イオン注入システム１００におけるこの点まで、イオンビーム１１２は、比較的高エネルギーレベルで移動し、ビーム発散に対する傾向を和らげる。例えば、ビーム発散の傾向は、分析開口１３４の位置において、ビーム密度が上昇すると高まる。イオン引出アセンブリ１１８、走査要素１３６、及び集束／ステアリング構成要素（図示略）、と同様に、減速ステージは、電源（図示略）に接続された１つ以上の電極（図示略）を含み、この減速ステージの１つ以上の電極は、イオンビーム１１２（例えば、走査されるイオンビーム）を選択的に減速するように作動可能である。例えば、走査されるイオンビーム１５０の減速は、イオン注入システム１００の第１作動モードにおいて、特に有益である。イオンビーム１１２は、ビーム走査システムによってスキャンされる前に高エネルギーで移動することができ、走査されるイオンビーム１５０のエネルギーは、第１作動範囲内のイオン注入のために加工物１２２に衝突する前に、低くすることができる。
【００４４】
１つの実例によれば、減速ステージ（図示略）は、イオンビーム１１２から離れた中性粒子及び不必要なエネルギーの他のイオンを選択的にフィルタ処理するように作動可能である。そして、所望のエネルギーのイオン種が、イオンビームの所望経路に従って行き、さらに、減速ステージを介して選択的に減速される。
【００４５】
本発明の別の構成によれば、イオン注入システム１００の第２作動モードにおいて、減速ステージ（図示略）の複数の電極に電圧が印加されず、これにより、スポットイオンビーム１１２が、一般的に、影響を受けないで減速ステージを通過することができる。
本発明の例では、２つの電極１２０Ａと１２０Ｂ、及び電極１４４Ａと１４４Ｂは、それぞれ、イオン引出アセンブリ１１８と走査要素１３６に示されている。しかし、引出アセンブリ１１８、走査要素１３６、集束／ステアリング構成要素（図示略）、及び減速ステージ（図示略）は、適切な数の電極を含み、イオンを加速および／または減速すると共に、イオンビーム１１２を、集束、曲げ、偏向、収斂、発散、走査、平行化、および／または除去することを含んでいる。このことは、ラスメル（Rathmell）他に付与された米国特許第６，７７７，６９６号明細書に記載され、その全体が、参考としてここに包含される。
【００４６】
さらに、集束／ステアリング構成要素は、静電偏向プレート（例えば、１対以上のプレート）を含むと共に、イオンビームを選択的に集束させるために、アインゼル（Einzel）レンズ、四極子、および／または他の集束要素を含むことができる。
【００４７】
図１および図２に示すエンドステーション１０６は、例えば、シリアル型エンドステーションからなり、単一の加工物１２２が、イオン注入のために、加工物走査システム１６７を介してイオンビーム１１２の経路を通って移動する。代わりに、エンドステーション１０６は、バッチ型エンドステーションからなり、複数の加工物（図示略）が回転ディスク（図示略）上に置かれてイオンビーム１１２が通過するようになっている。好ましい実施形態では、加工物走査システム１６７は、単一の加工物１２２を支持するように構成され、さらに、単一の加工物を一次元または二次元でまたは、イオンビームが通過するイオンビーム径路に対してほぼ直交する方向に機械的に走査する。加工物走査システム１６７は、例えば、ベリリアン（Berrian）に付与された米国特許第７，１３５，６９１号明細書に記載された二次元走査システムを含むことができる。このシステムの内容は、その全体を参考としてここに包含される。代わりに、任意の加工物走査システム１６７が、イオンビーム１１２の経路を通って、本発明の範囲内に入ると考えられるイオンビーム径路１１３にほぼ直交する１つ以上の方向に、加工物を移動させることができる。
【００４８】
例えば、第１作動範囲に関連した第１作動モードにおいて、加工物走査システム１６７は、イオンビーム１１２が、走査要素１３６を介して走査されながら、第１方向（例えば、Ｙ方向すなわち緩やかな走査方向）に機械的に移動できる（これは、走査されるイオンビーム１５０を形成する。）。また、加工物全体にわたってイオンを注入するために、加工物が第２方向に（例えば、Ｘ方向すなわち早い走査方向）に機械的に移動できる。従って、第１モードでは、イオン注入システム１００は、機械的に制限された方法で作動することができる。以下に記述するように、中間から低いドーズ量のイオン注入は、実質的に高い加工物の処理能力を達成することができ、また、走査されるイオンビーム１５０を通過するように加工物１２２を移動させるために、加工物の処理能力の上限は、加工物走査システム１６７の機械的能力によって主に支配される。
【００４９】
本発明の他の例示的な構成によれば、パラライザー１３０は、省略することができ、また、加工物走査システム１６７は、イオン注入システム１００が第１モードで作動するときＹ軸回りに加工物１２２を回転されることができる。この点は、フェララ（Ferrara）他に付与された米国特許第６,９９２,３１０号に記載されており、この内容は、ここに参考として包含される。加工物１２２をＹ軸回りに回転させることによって、加工物上に、ほぼ一定の注入角度を達成することができる。
【００５０】
第１作動範囲に関連した第１作動モードでは、例えば、図４(a)及び図４(b)に示すように、イオンビームは、加工物に対して走査される。図４(a)では、例えば、加工物は、Ｙ方向（矢印１６８で示す）に移動することが示され、一方、イオンビーム１１２は、Ｘ方向（矢印１６９で示す）に走査される。従って、図４(b)で示すように、イオンビーム１１２は、加工物１２２を横切るストライプ１７１を形成する軌道１７０を進み、その結果、イオンビームが移動する加工物に対して走査される。各ストライプ１７１の幅１７２（図４(a)に示す）は、例えば、イオンビーム１１２のビーム径に関連する。従って、イオンビーム１１２は、加工物を横切って走査され、そして、正しいイオンドーズ量を維持するために、加工物から離れる。ここで、１つ以上のビーム監視装置１７３が加工物の周囲に配置され、ビーム経路の拡張部１７４でイオンビームをリアルタイムで監視することができる。この結果、図４(b)に示すように、イオンビーム１１２によって走査される全体の面積１７５は、加工物の面積１７６よりも大きい。それゆえ、イオンビームは、加工物からはみ出ているかなりの時間浪費されることになる（例えば、イオンビームが加工物に衝突しないとき）。
【００５１】
加工物１２２上にある時間と加工物からはみ出た時間との比は、イオンビーム利用率Ｕを定める。代わりに、イオンビーム利用率Ｕは、注入処理中のイオン注入システムによって配給されるドーパント量に対する加工物内に注入される所望のドーパント量として、一定のイオンビーム電流Ｉで定めることもできる。
【００５２】
所定の加工物に中に注入されるべきドーパントの所望ドーズ量Ｄ（単位正方形あたり）を用いて、イオン注入装置における加工物に対する注入時間ｔ注入は、次式で表される。
【００５３】
ｔ注入＝Ｄ×Ａ／ｑ／Ｉ／Ｕ              （1）
ここで、Ａは、イオンビームによって注入されるべき加工物の全面積であり、ｑは、イオンの電荷である。イオンビームの幅に従って、利用率は、第１作動モードにおいて、略８０％〜２０％以下までの範囲とすることができる。さらに、イオン注入装置の連続作動と共に、シリアル形式で多数の加工物にイオンを注入するとき、加工物あたりの全体の処理能力又は善処理時間ｔ全体は、次式で表される。    
【００５４】
ｔ全体＝ｔ注入＋ｔハンドリング
ここで、ｔ注入は、上述したように、各加工物にイオンを注入する時間であり、また、ｔハンドリングは、イオン注入装置の出し入れする加工物の移送に関連した取扱時間である。例えば、所定の加工物に対する注入時間ｔ注入が短い（例えば、取扱時間ｔハンドリングよりもかなり短い）場合、そのとき、注入装置の処理能力は、主に取扱時間に支配され、イオン注入装置は、機械的に制限された処理能力の方法又はモードで作動される。
【００５５】
第２作動範囲に関連した第２作動モードでは、また別の例に従って、加工物走査システム１６７は、第１方向（Ｙ軸すなわち遅い走査方向）と第２方向（Ｘ軸すなわち早い走査方向）の両方において、加工物を機械的に平行移動するように構成されている。このとき、図２に示すように、イオンビーム１２２は、より高いドーズ量、より高い電流、および／またはより高いエネルギーの注入のために、走査されないスポットイオンビームのままである。従って、第２モードでは、イオン注入システム１００は、以下で記載するように、注入制限された処理能力で作動することができる。そして、ドーズ量、電流、および／または注入のエネルギーは、主にターミナル１０２、ビームガイド１２４、及び質量分析器１２６の能力によって支配される。第２モードにおける加工物１２２の処理能力は、概略、ビームラインのビーム電流性能によって制限される。
【００５６】
図５(a)および図５(b)に示すように、第２作動モードにおいて、例えば、加工物１２２は、Ｘ方向（矢印１７７で示す）及びＹ方向（矢印１７８で示す）の両方で固定のイオンビーム１１２を通過して走査される。ここで、利用率Ｕは、イオンビームが加工物上で費やされる時間対全体の注入時間によって定められる。リアルタイム電流監視装置（図示略）が、例えば、加工物の背後に配置され、その結果、走査幅は、ビーム径によって与えられる。矢印１７７，１７８が、直線移動、曲線移動、として示され、これらは、葉音発明の範囲内に入るものと考えられ、Ｘ方向に加工物１２２の振り子型の並進移動となる。
【００５７】
加工物１２２の二次元機械的走査の速度は、電気的及び時期的な走査システムの速度よりも、一般的に遅い。従って、注入時間が長いとき（例えば、所望の注入ドーズ量が高いとき）、加工物を機械的に走査することは有益である。このような場合、イオンビーム１１２が加工物の外にある間の時間は、加工物の転換点領域１７９（加工物軌跡の逆転方向に関連した時間）において、高加速を維持することによって、比較的短く（例えば、図５(b)に示すように）することができる。この結果、第１モード（例えば、１００％の利用率に近い）で達成する場合よりもより高い利用率を達成することができる。それゆえ、ビーム／加工物の移動軌跡の相対面積が最小化される。このため、第２作動モードでは、加工物１２２の処理能力は、加工物の取扱時間ｔハンドリングよりも一般的により大きい注入時間ｔ注入で主に定められる。
式（1）に見られるように、より高い利用率は、より短い注入時間ｔ注入を導きイオン注入装置に対する改良された処理能力及び生産性を導くことになる。
【００５８】
また別の実例によれば、図１及び図２に示すように、線量測定システム１８２が、注入動作の前に測定値を較正するために、加工物１２２近くのエンドステーション１０６内に設けられる。１つの例では、較正中、イオンビーム１１２は、線量測定システム１８２を通過する。この線量測定システムは、プロファイラー経路１８６に沿って平行移動するように作動可能な１つ以上のプロファイラー１８４を含む。これにより、イオンビームの１つ以上の特性を測定する（例えば、走査されるイオンビームおよび／またはスポットイオンビーム１１２のプロファイルを測定するように作動可能である。）。このプロファイラー１８４は、例えば、ファラデーカップ等の電流密度センサを含み、イオンビーム１１２の電流密度を測定するように作動できる。測定された電流密度は、例えば、作動連結されたシステムコントローラ１８８を介して、イオン注入システムの制御のために利用することができる。
【００５９】
このシステムコントローラ１８８は、例えば、コンピュータ、マイクロプロセッサ、又は他の制御システムを含み、このコントローラが、ターミナル１０２、質量分析器１２６、ビーム走査システム１２８、集束／ステアリング要素（図示略）、走査要素１３６、パラライザー１３０、減速ステージ（図示略）、及び加工物走査システム１６７の１つ又はそれ以上を制御するように作動可能である。
【００６０】
１つの例では、システムコントローラ１８８は、線量測定システム１８２からの測定値を受け取るように構成され、そして、受け取った測定値に基づいて加工物１２２へのイオン注入量を制御する。システムコントローラ１８８は、例えば、イオン発生室１１４及び引き出しアセンブリ１１８の制御を介してイオンビーム１１２の形成を制御するように作動可能である。さらに、システムコントローラ１８８は、電源１４０を介して走査要素１３６を制御するように作動可能であり、イオンビーム１１２が、所望の作動範囲（例えば、イオン注入システム１００の作動の第１モード又は第２モード）に基づいて、選択的に走査される。
【００６１】
例えば、所望の注入ドーズ量、電流、および／またはエネルギーに基づいて、システムコントローラ１８８は、第１モードでイオン注入システム１００を作動するように構成される。このため、イオンビーム１１２は、ビーム走査システム１２８によってＸ方向に走査され、また、システムコントローラが加工物走査システム１６７を制御して、加工物をＹ方向に並進させる。ここで、走査されるイオンビーム１５０のイオンを用いて加工物にイオン注入する。
【００６２】
第２モードでは、コントローラ１８８は、イオンビーム走査システム１２８を介して、ほぼ変更されない、即ち、走査されないイオンビーム１１２を通過させるように構成されている。このコントローラは、さらに、加工物走査システム１６７を制御するように構成されており、加工物１２２は、イオンビーム径路１１３に沿って固定のスポットイオンビームを移動しながら、Ｘ方向及びＹ方向の両方に平行移動する。
【００６３】
従って、イオン注入システム１００は、システムコントローラ１８８を介して調整することができ、この結果、線量測定システム１８２によって与えられる１つ上の測定された特性に基づくと共に、イオン注入の所望のドーズ量、電流、および／またはエネルギーに基づいて、所望のイオン注入を容易にする。
【００６４】
１つの例によれば、イオンビーム１１２は、所定のビーム調整パラメータ（例えば、所定のビーム調整パラメータは、システムコントローラ１８８内にストア／ロードされる）に従って初期的に確立される。そして、線量測定システム１８２からのフィードバックに基づいて、パラライザー１３０が、例えば、注入角度を変えるためにＳ曲線の角度を変えるように調整される。同様に、走査されるイオンビーム１５０のエネルギーレベルは、例えば、イオン引出アセンブリ１１８に設けた電極１２０Ａ、１２０Ｂおよび減速ステージ（図示略）内の電極に加えられるバイアスを制御することによって、接合深さを調整することができる。別の例では、質量分析器１２６において発生する磁界の強さ及び方向が、イオンビーム１１２の電荷質量比を変える界磁巻線を流れる電流量を調整することによって、さらに制御される。注入角度は、操縦要素（図示略）に印加される電圧を調整することによってさらに制御される。
【００６５】
本発明の別の構成にしたがって、図６において、加工物内に種々の作動範囲のイオンを注入するための例示的な方法２００が示されている。この例示的な方法は、ここで一連の動作又は事象として図示されかつ説明されているが、本発明は、このような動作または事象の図示された順序によって制限されるものではないことに注目すべきであることを理解してほしい。このようなステップは、本発明に従って、ここで図示されかつ記載されたものとは別の他のステップおよび／または異なる順序で起こり得る。さらに、図示されたステップは、本発明に従う方法を実行するのに必要とされるものとは限らない。さらに、この方法は、図示しない他のシステムに関連するとともに、ここで図示しかつ説明したシステムに関連して実行することができることを理解してほしい。
【００６６】
方法２００は、動作２０２から開始され、図１および図２に示すイオン注入システム１００等のイオン注入システムが提供される。このイオン注入システムは、複数の作動範囲において、加工物中にスポットイオンビームのイオンを注入するように構成されている。例えば、イオン注入システムは、第１モード及び第２モードで作動でき、スポットイオンビームが、第２モードでは、走査されないままである。図６の動作２０４では、イオンの所望のドーズ量、電流、および／またはエネルギー等の一組の所望の基準が与えられる。例えば、イオン注入の所望のドーズ量は、動作２０４において与えられ、この所望のドーズ量は、低いドーズ量での注入（例えば、略５×１０10〜５×１０14イオン／ｃｍ2）から高いドーズ量の注入（例えば、略５×１０14〜１×１０17イオン／ｃｍ2）までの範囲になる。所望の一組の基準は、例えば、イオンビームの利用率、処理能力の考察、生産性の考察、又は注入に関連した他の基準の１つまたはそれ以上を、さらに含むことができる。
【００６７】
動作２０６において、スポットイオンビームは、形成されかつ質量分析され、ここで、スポットイオンビームは、略断面円形状を有し、動作２０４において与えられた所望の規準と関連したエネルギー及び電流を有する。動作２０８において、スポットイオンビームの１つ以上の特性が定量化される。例えば、動作２０８において、スポットイオンビームの電流および／またはビーム径が、図１及び図２の線量測定システム１６８を介して測定されまたは決定される。図６の動作２１０において、注入時間（例えば、加工物全体の中にイオンを注入するのに必要される時間）が決定され、この注入時間の決定は、スポットイオンビームの１つ以上の定量化された特性に基づいている。例えば、動作２０４において与えられた所望のドーズ量で、加工物全体を注入するための注入時間が、スポットイオンビームの定量化された電流および／またはビーム径に基づいて計算される。
【００６８】
動作２１２において、注入時間は、機械的に制限された走査時間と関連した走査時間と比較される。この機械的に制限された走査時間は、例えば、第２モードにおけるイオン注入システム１００の作動と関連した最小時間である。そして、図１及び図２の加工物走査システム１６７は、加工物１２２を、Ｘ方向及びＹ方向にそれぞれ最大速度又は限界値で平行移動させる。図６の動作２１２の比較において、動作２１０において決定された注入時間が機械的に制限された走査時間（比較的短い注入時間）よりも短い場合、例えば、十分なイオンビーム電流が利用可能であり、イオン注入システムが動作２１４における第１モードで作動しているとき、イオンビームは、図１に示すようなビーム走査システム１２８を介して走査される。図６の動作２１０において決定した注入時間が機械的に制限された走査時間（比較的長い注入時間）よりも長い場合、イオン注入システムが動作２１６における第２モードで作動しているとき、イオンビームは、図２に示すように、走査されないままとなり、加工物走査システム１６７が、加工物１２２をＸ方向及びＹ方向の両方向に平行移動させる。
【００６９】
従って、イオン注入システム１００が、第１モード又は第２モードで作動しているかどうかにかかわらす、イオンを加工物１２２に注入することは、動作２１８において実行され、所望の基準の組（例えば、所望のドーズ量）で注入がなされる。
【００７０】
こうして、本発明は、複数の作動範囲において、共通の注入システムを利用しながら、イオンを注入する構造及び方法が提供される。この結果、作動範囲にかかわらず、共通の注入システムを用いて、イオン注入の所望のドーズ量、電流、および／またはエネルギー、さらに、利用率、及び生産効率を達成することができる。そして、ドーズ特定システムに関連した設備費用を低減し、また、現在のイオン注入システムの利用を増大させることができる。
【００７１】
本発明は、好ましい実施形態または他の実施形態に関して図示しかつ記載してきたが、この明細書と添付された図面とを読んで理解すると、他の同業者にも同等の変更や修正を見出すことができるであろう。特に上述の構成要素（アセンブリ、装置、回路等）によって実行される種々の機能に関して、そのような構成要素を説明するために使用される用語（「手段」に対する参照を含めて）は、他に表示されていなければ、たとえ開示された構成に構造的に同等でなくても、本発明のここで図示された例示的実施においてその機能を果たすものであれば、説明された構成要素の特定された機能を実行する（即ち、機能的に同等である）いずれかの構成要素に相当するものと意図されている。
【００７２】
更に、本発明の特定の特徴が幾つかの実施形態の内のただ一つに対して開示されてきたものであるが、そのような特徴は、いずれかの或る又は特定の用途にとって望ましくかつ有利な他の実施形態における一つ以上の特徴と組み合わせられるものである。
【図面の簡単な説明】
【００７３】
【図１】本発明の１つの構成に従う複数の作動範囲のための共通構造を有する、例示的なイオン注入システムを説明するためのブロック図である。
【図２】本発明の１つの構成に従う複数の作動範囲のための共通構造を有する、例示的なイオン注入システムを説明するためのブロック図である。
【図３】本発明の他の構成に従う例示的なパラライザーを示す概略図である。
【図４】４(a)、(b)は、本発明の別の構成に従うイオン注入の作動における例示的な第１モードを示す図である。
【図５】５(a)、(b)は、本発明の別の構成に従うイオン注入の作動における例示的な第２モードを示す図である。
【図６】本発明の更なる例示的なに従う共通のイオン注入システムを用いて、複数の作動範囲で加工物にイオンを注入するための例示的な方法を示す図である。
【符号の説明】
【００７４】
１００  イオン注入システム
１０８  イオン源
１１２  イオンビーム
１２２  加工物
１２６  質量分析器
１２８  ビーム走査システム
１３０  パラライザー
１３６  走査要素
１５１  ビームレット
１６７  加工物走査システム
１８８  システムコントローラ
【図１】
0005652583.tif 000002
【図２】
0005652583.tif 000003
【図３】
0005652583.tif 000004
【図４】
0005652583.tif 000005
【図５】
0005652583.tif 000006
【図６】
0005652583.tif 000007